(57)【要約】      （修正有）【課題】十分な強度を有して、ブロック塀の頂部に設置することが可能な笠木ブロックを提供する。【解決手段】コンクリートブロックを用いた塀の頂部に配置される板状の笠木ブロック１０であって、平面視して長手方向の片側又は両側で幅方向の中央に、円弧状の溝１３、１４に囲まれた分離可能部１５、１６を有する。また、分離可能部１５、１６は平面視して半円形又は半円の一部を欠如した部分半円状となって、その半径方向中心には上下に貫通する縦溝２１、２２が設けられている。【選択図】図１
2014098286.tif 000002
【特許請求の範囲】
【請求項１】
コンクリートブロックを用いた塀の頂部に配置される板状の笠木ブロックであって、
平面視して長手方向の片側又は両側で幅方向の中央に、円弧状の溝に囲まれた分離可能部を有することを特徴とする笠木ブロック。
【請求項２】
請求項１記載の笠木ブロックにおいて、前記分離可能部は平面視して半円形又は半円の一部を欠如した部分半円状となっていることを特徴とする笠木ブロック。
【請求項３】
請求項２記載の笠木ブロックにおいて、前記分離可能部の半径方向中心には上下に貫通する縦溝が設けられていることを特徴とする笠木ブロック。
【請求項４】
請求項１〜３のいずれか１項に記載の笠木ブロックにおいて、裏側の幅方向両側には、水切り溝が形成されていることを特徴とする笠木ブロック。
【発明の詳細な説明】
【技術分野】
【０００１】
本発明は、コンクリートブロックを用いた塀等の頂部に配置される笠木ブロックに関する。
【背景技術】
【０００２】
コンクリートブロック（以下単に「ブロック」ともいう）は、例えば特許文献１に記載のように、上下に貫通する複数の孔が設けられているので、ブロックで塀（ブロック塀）を構築すると、最上部のブロックから孔が露出し、内部に雨が入り、見かけが悪い等の問題があるので、特許文献２に記載のように、ブロック塀の頂部に笠木ブロックを配置している。
【先行技術文献】
【特許文献】
【０００３】
【特許文献１】特開２００１−３４８８９１号公報
【特許文献２】特開２００７−７０８７６号公報
【発明の概要】
【発明が解決しようとする課題】
【０００４】
しかしながら、特許文献２記載の笠木ブロックにおいては、板状のブロック本体の底部に、長手方向に連続する窪み部と複数本の溝が形成されている。従って、笠木ブロックと下側のブロックはモルタルからなる目地で連結されていることになり、経年変化や地震等によって笠木ブロックがブロック塀から剥がれたり、目地にひび等が入ることがあった。
笠木ブロックが落下すると重量があり、落下高さがあるので極めて危険であるという問題があった。
【０００５】
本発明はかかる事情に鑑みてなされたもので、十分な強度を有して、ブロック塀（コンクリートブロックを用いた塀）の頂部に設置することが可能な笠木ブロックを提供することを目的とする。
【課題を解決するための手段】
【０００６】
前記目的に沿う本発明に係る笠木ブロックは、コンクリートブロックを用いた塀の頂部に配置される板状の笠木ブロックであって、使用状態で裏側から平面視して長手方向の片側又は両側で幅方向の中央に、円弧状の溝に囲まれた分離可能部を有する。なお、溝の深さは、例えば笠木ブロック厚みの１／２〜５／６程度であるのが好ましい。
【０００７】
ここで、本発明に係る笠木ブロックにおいて、前記分離可能部は平面視して半円形又は半円の一部を欠如した部分半円状となっているのが好ましい。
そして、本発明に係る笠木ブロックにおいて、前記分離可能部の半径方向中心には上下に貫通する縦溝が設けられているのが好ましい。
【０００８】
そして、本発明に係る笠木ブロックにおいて、裏側の幅方向両側には、水切り溝が形成されているのが好ましい。
【発明の効果】
【０００９】
本発明に係る笠木ブロックは、長手方向の片側又は両側で幅方向の中央に、円弧状の溝に囲まれた分離可能部を有するので、分離可能部を除去して下側のブロックと連結すれば、柱状のモルタルでこの笠木ブロックと下側のブロックが連結されることになり連結部分の強度が増す。
更に、ブロック塀に鉄筋を使用している場合は、分離可能部を除去して下部のブロック塀に連通する鉄筋等の補強材を入れることができる。
【００１０】
本発明に係る笠木ブロックにおいて、分離可能部が平面視して半円形又は半円の一部を欠如した部分半円状となって、その半径方向中心に上下に貫通する縦溝が設けられている場合には、この縦溝を利用して下位置にあるブロック塀とこの笠木ブロックを連結することができる。この場合、連結するモルタルの量が少なくて済む。
【００１１】
そして、本発明に係る笠木ブロックにおいて、この笠木ブロックの裏面側の両側に水切り溝を形成した場合、上面に降りかかった雨水がブロック塀内に侵入するのを防止できる。
【図面の簡単な説明】
【００１２】
【図１】本発明の一実施の形態に係る笠木ブロックの裏側斜視図である。
【図２】同笠木ブロックの表側斜視図である。
【図３】（Ａ）は同笠木ブロックの使用状態を示す断面図、（Ｂ）は同笠木ブロックの別の使用状態を示す部分平面図である。
【発明を実施するための形態】
【００１３】
続いて、添付した図面を参照しながら、本発明を具体化した実施の形態について説明する。
図１〜図３（Ａ）、（Ｂ）に示すように、本発明の一実施の形態に係る笠木ブロック１０はコンクリートブロックと同一の材料からなって、コンクリートブロック１１を用いた塀（ブロック塀）１２の頂部に配置される。笠木ブロック１０は、平面視して長手方向両側（片側の場合もある）で幅方向中央に曲率半径の軸心を有する、略円弧状（例えば、略半円状）の溝１３、１４に囲まれた分離可能部１５、１６を有する。
【００１４】
板状の笠木ブロック１０の幅は載置しようとするコンクリートブロック１１の幅ｗ（通常１００〜２００ｍｍ）の１．２〜１．６倍（例えば、１２０〜３００ｍｍ）となって、長さはコンクリートブロック１１の長さ（例えば、３９０ｍｍ）と同一となっている。
【００１５】
平面視した笠木ブロック１０の溝１３、１４の外側半径ｒ１は、コンクリートブロック１１の幅ｗの４／５〜１／３程度となって、平面視した溝１３、１４の内側半径ｒ２は外側半径より３〜１０ｍｍの範囲で小さくなっている。溝１３、１４の深さｄは、笠木ブロック１０の厚みｔの１／２〜５／６となって、分離可能部（部分円状抜き落とし部）１５、１６にハンマー等で衝撃を与えると、溝底１８、１９の部分で割れて、平面視して半円形状の切欠き１３ａ、１４ａができる。
【００１６】
平面視して半円状（厳密には半円の一部が欠如した部分半円状）の分離可能部１５、１６の半径方向軸心位置には、半径ｒ３が１０〜２０ｍｍ（＜ｒ１）の上下に貫通する縦溝２１、２２が形成されている。従って、２つの笠木ブロック１０を図３（Ｂ）に示すように少しの隙間（目地）を形成して並べると、隣り合う笠木ブロック１０の縦溝２１、２２で断面円形の貫通孔を形成する。
なお、以上の溝１３、１４、及び縦溝２１、２２には裏側方向に広がる抜き勾配が形成されて型による成形を容易としている。
【００１７】
コンクリートブロック１１の幅より長い領域の笠木ブロック１０の裏面の幅方向両側に、幅が２〜３ｍｍの水切り溝２３が設けられている。水切り溝２３はそれぞれ１本の場合もあるが、複数本の場合もある。
笠木ブロック１０の幅方向角部２４、２５には２〜４ｍｍの面取りがなされているのが好ましいが、笠木ブロック１０の表側の幅方向角部２５のみに面取りを形成してもよいし、全部を省略してもよい。
【００１８】
続いて、図３（Ａ）を参照しながら、笠木ブロック１０の使用方法について説明する。ブロック塀１２を構成するコンクリートブロック１１と同一長さの笠木ブロック１０を用意し、分離可能部１５、１６をハンマー等で叩いて除去し、並べられたコンクリートブロック１１の上に例えば約１０ｍｍ厚みの目地２７を介して取付ける。
【００１９】
そして、隣り合う笠木ブロック１０の間にも目地２８を設けて接合し、切欠き１３ａ、１４ａによって形成される孔にはモルタル２９を充填し、上面を笠木ブロック１０の上面に合わせる。
ここで、コンクリートブロック１１の間に鉄筋３０がある場合は、鉄筋３０を切欠き１３ａ、１４ａによって形成される孔に挿入してもよいし、その他の補強材を入れてもよい。
【００２０】
次に、図３（Ｂ）に示す笠木ブロック１０の構築方法では、分離可能部１５、１６は除去しないで、縦溝２１、２２を使用する。この場合、コンクリートブロック１１を所定の方法で積み上げてブロック塀１２を構築した後、モルタルが充填された目地を介して笠木ブロック１０を載せる。そして、笠木ブロック１０の間に目地２８を形成すると共に、縦溝２１、２２によって形成される貫通孔と溝１３、１４にモルタルを充填して、施工工事が完了する。
【００２１】
本発明は前記した実施の形態に限定されるものではなく、本発明の要旨を変更しない範囲でその構成を変更することもできる。例えば、笠木ブロック１０において、縦溝２１、２２の形状は自由であるし、場合によっては省略することもできる。
また、
【符号の説明】
【００２２】
１０：笠木ブロック、１１：コンクリートブロック、１２：ブロック塀、１３、１４：溝、１３ａ、１４ａ：切欠き、１５、１６：分離可能部、１８、１９：溝底、２１、２２：縦溝、２３：水切り溝、２４、２５：幅方向角部、２７、２８：目地、２９：モルタル、３０：鉄筋
【図１】
2014098286.tif 000003
【図２】
2014098286.tif 000004
【図３】
2014098286.tif 000005